(57)【要約】【課題】  安価で省スペースのふきこぼれを検知する誘導加熱調理器を提供する。【解決手段】  加熱コイル周囲に設けられた防磁リングや、トッププレートの金属フレームや、加熱コイルとトッププレート間に設けられた鍋と加熱コイル間に発生する反発力を低減する金属板を電極とし、該電極と所定電位との間の静電容量を測定する静電容量測定手段とを備え、制御回路は、加熱コイルを駆動中に前記電極と所定電位との間の静電容量が変化した場合、ふきこぼれが発生したと判定し、駆動回路を停止させるか、または、加熱コイルに流す高周波電流を減少させるように駆動回路を制御する。【選択図】  図２
2011243491.tif 000002
【特許請求の範囲】
【請求項１】
鍋を載置するトッププレートと、 前記トッププレートの下に設けられ、前記鍋を加熱する加熱コイルと、 交流電圧を高周波電圧に変換して前記加熱コイルに高周波電流を流す駆動回路と、前記加熱コイル周囲に設けられた防磁リングと、 前記防磁リングと所定電位との間の静電容量を測定する静電容量測定手段と、前記静電容量測定手段の測定結果に基づき前記駆動回路を制御する制御回路と、を備え、前記制御回路は、前記加熱コイルを駆動中に前記防磁リングと前記所定電位との間の静電容量が変化した場合、ふきこぼれが発生したと判定し、前記駆動回路を停止させるか、または、前記加熱コイルに流す高周波電流を減少させるように前記駆動回路を制御することを特徴とする誘導加熱調理器 。
【請求項２】
前記防磁リングは、前記トッププレートの下に設けられたばね構造により前記トッププレート裏面に押し当てられたことを特徴とする請求項１記載の誘導加熱調理器 。
【請求項３】
鍋を載置するトッププレートと、前記トッププレート周囲に設置された前記トッププレートを保護する金属フレームと、 前記トッププレートの下に設けられ、前記鍋を加熱する加熱コイルと、 交流電圧を高周波電圧に変換して前記加熱コイルに高周波電流を流す駆動回路と、前記金属フレームと所定電位との間の静電容量を測定する静電容量測定手段と、前記静電容量測定手段の測定結果に基づき前記駆動回路を制御する制御回路と、を備え、前記制御回路は、前記加熱コイルを駆動中に前記金属フレームと前記所定電位との間の静電容量が変化した場合、ふきこぼれが発生したと判定し、前記駆動回路を停止させるか、または、前記加熱コイルに流す高周波電流を減少させるように制御することを特徴とする誘導加熱調理器。 
【請求項４】
鍋を載置するトッププレートと、 前記トッププレートの下に設けられ、前記鍋を加熱する加熱コイルと、 交流電圧を高周波電圧に変換して前記加熱コイルに高周波電流を流す駆動回路と、前記加熱コイルと前記トッププレート間に設けられた金属板と、 前記金属板と所定電位との間の静電容量を測定する静電容量測定手段と、前記静電容量測定手段の測定結果に基づき前記駆動回路を制御する制御回路と、を備え、前記制御回路は、前記加熱コイルを駆動中に前記金属板と前記所定電位との間の静電容量が変化した場合、ふきこぼれが発生したと判定し、前記駆動回路を停止させるか、または、前記加熱コイルに流す高周波電流を減少させるように前記駆動回路を制御することを特徴とする誘導加熱調理器。 
【請求項５】
静電容量の変化により操作指示がなされたかどうかを判定する静電容量方式の操作部を備え、前記静電容量測定手段と、前記操作部により操作指示がなされたかどうかを判定する回路の一部または基板を兼用することを特徴とする請求項１乃至４記載の誘導加熱調理器。
【発明の詳細な説明】
【技術分野】
【０００１】
この発明は、加熱コイル周囲に設置された電極と所定電位間の静電容量の変化からふきこぼれを検知する誘導加熱調理器に関するものである。
【背景技術】
【０００２】
従来のふきこぼれを検知する誘導加熱調理器の例として、加熱コイル周囲に設置された電極と所定電位間の静電容量の変化からふきこぼれ発生を判定するものがある（例えば、特許文献１参照）。
【０００３】
【特許文献１】特開２００８−１５９４９４号公報（第１図）
【発明の開示】
【発明が解決しようとする課題】
【０００４】
従来の技術は、トッププレート下に新たに電極を設ける必要がありコストが高くなる課題があった。
【課題を解決するための手段】
【０００５】
本発明は、加熱コイル周囲に設けられた防磁リングや、トッププレートの金属フレームや、加熱コイルとトッププレート間に設けられた鍋と加熱コイル間に発生する反発力を低減する金属板を電極とし、該電極と所定電位との間の静電容量を測定する静電容量測定手段とを備え、制御回路は、加熱コイルを駆動中に前記電極と所定電位との間の静電容量が変化した場合、ふきこぼれが発生したと判定し、駆動回路を停止させるか、または、加熱コイルに流す高周波電流を減少させるように駆動回路を制御する。
【発明の効果】
【０００６】
本発明は、従来から誘導加熱調理器に備わっている加熱コイル周囲に設けられた防磁リングや、トッププレートの金属フレームや、加熱コイルとトッププレート間に設けられた鍋と加熱コイル間に発生する反発力を低減する金属板を使用することで新たに電極を設けるスペースが不要となり、また、安価にできる。  
【図面の簡単な説明】
【０００７】
【図１】この発明の実施の形態１を示す誘導加熱調理器。
【図２】この発明の実施の形態１を示す誘導加熱調理器。
【図３】この発明の実施の形態２を示す誘導加熱調理器。
【図４】この発明の実施の形態２を示す誘導加熱調理器。
【図５】この発明の実施の形態３を示す誘導加熱調理器。
【図６】この発明の実施の形態３を示す誘導加熱調理器。
【図７】この発明の実施の形態４を示す誘導加熱調理器。
【図８】この発明の実施の形態５を示す誘導加熱調理器。
【図９】この発明の実施の形態５を示す誘導加熱調理器。
【発明を実施するための最良の形態】
【０００８】
実施の形態１． 
図１は、本発明の実施の形態１における誘導加熱装置の概略構成を示す説明図である。同図において、誘導加熱装置１は、加熱コイル２と、加熱コイル外周に設置した加熱コイルからの漏れ磁束を遮断する防磁リング３と、交流電源４の交流電圧を高周波電圧に変換して加熱コイル２を駆動する駆動回路５と、駆動回路５を制御するための制御回路６と、防磁リング３と所定電位との間の静電容量を測定する静電容量測定回路７とを備えている。
なお、「静電容量測定回路７」は、本発明における「静電容量測定手段」に相当する。
【０００９】
また、図２は、図１の加熱コイル部分を横から見た図である。図２において、トッププレート８の上に、調理器具として鍋９が載置され、トッププレート８下の加熱コイル２を固定するコイルベース１０の周囲に防磁リング３が設置されている。なお、防磁リング３は加熱コイル２の周りを囲う形状であれば良く、幅や厚みなどは任意に設定可能である。静電容量測定回路７は、防磁リング３を電極とし、防磁リング３と所定電位間の静電容量（寄生容量）を計測する。 
なお、以下の説明では所定電位はアース電位（以下、ＧＮＤとも呼ぶ）としているが、トッププレート載置物を所定電位としても良い。また、これら以外を所定電位としても良い。
【００１０】
面積Ａの防磁リング３とＧＮＤとの間の比誘電率（主に空気）をＫとし、その距離をｄとし、真空の誘電率をε0とする。すると静電容量Ｃを求める式は、 
Ｃ＝Ｋ×ε0×Ａ／ｄ 
となる。静電容量測定回路７は測定回路７内のＧＮＤと防磁リングとの間に交流電圧を印加する。印加した交流電圧は静電容量が大きいと振幅が小さくなりるため、その振幅の減衰量から静電容量を計測する。
【００１１】
ふきこぼれが無い状態では、防磁リング３とＧＮＤとの間には主に比誘電率１の空気が存在するが、ふきこぼれが発生すると比誘電率８０の水が入ってくる為、静電容量は急増する。そこで、静電容量の変化を調べることで、ふきこぼれの判定が可能になる。 
【００１２】
ふきこぼれが発生したと判定した場合は、駆動回路５の動作を停止させるか、または加熱コイル２に流す電流を減らすように駆動回路５を制御する。
【００１３】
以上のように、本実施の形態では、鍋９を載置するトッププレート８と、トッププレート８の下に設けられ、鍋９を加熱する加熱コイル２と、 交流電圧を高周波電圧に変換して加熱コイル２に高周波電流を流す駆動回路５と、加熱コイル２周囲に設けられた防磁リング３と、防磁リング３と所定電位との間の静電容量を測定する静電容量測定回路７と、静電容量測定回路７の測定結果に基づき駆動回路５を制御する制御回路６とを備え、制御回路６は、加熱コイル２を駆動中に防磁リング３と所定電位との間の静電容量が変化した場合、ふきこぼれが発生したと判定し、駆動回路５を停止させるか、または、加熱コイル２に流す高周波電流を減少させるように駆動回路５を制御する。
これによって、無駄な電力を使わずに済み、また、トッププレート８がふきこぼれた内容物で汚れるのを最小限にできる誘導加熱調理器を提供できる。
また、従来から誘導加熱調理器に備わっている防磁リング３と所定電位との間の静電容量を測定するので、新たに静電容量を測定するための電極が不要で、電極を設置するための新たなスペースも不用な、安価でスペース利用効率の良いふきこぼれ検知手段を提供できる。
【００１４】
実施の形態２．
図３は、本発明の実施の形態２における誘導加熱装置の概略構成を示す説明図である。同図において、８はトッププレート、２はトッププレート下に設置された加熱コイル、１１はトッププレート周囲に設置されたトッププレートを保護する金属フレームである。
【００１５】
図４は、図３を横から見た図である。図４において、トッププレート８の上に、調理器具として鍋９が載置され、トッププレート８下の加熱コイル２を固定するコイルベース１０の周囲に防磁リング３が設置され、トッププレート８の側面に金属フレーム１１が施されている。次に、本発明の実施の形態２について図３および図４を用いて説明する。静電容量測定回路７は、金属フレーム１１を電極とし、金属フレーム１１とＧＮＤ間の静電容量（寄生容量）を計測する。
【００１６】
ふきこぼれが無い状態では、金属フレーム１１とＧＮＤとの間には主に比誘電率１の空気が存在するが、ふきこぼれが発生し、こぼれた鍋内容物が金属フレームに到達すると比誘電率８０の水が入ってくる為、静電容量は急増する。そこで、静電容量の変化を調べることで、ふきこぼれの判定が可能になる。 
【００１７】
ふきこぼれが発生したと判定した場合は、駆動回路５の動作を停止させるか、または加熱コイル２に流す電流を減らすように駆動回路５を制御する。
【００１８】
以上のように、本実施の形態では、鍋９を載置するトッププレート８と、トッププレート８周囲に設置されたトッププレート８を保護する金属フレーム１１と、トッププレート８の下に設けられ、鍋９を加熱する加熱コイル２と、 交流電圧を高周波電圧に変換して加熱コイル２に高周波電流を流す駆動回路５と、金属フレーム１１と所定電位との間の静電容量を測定する静電容量測定回路７と、静電容量測定回路７の測定結果に基づき駆動回路５を制御する制御回路６と、を備え、制御回路６は、加熱コイル２を駆動中に金属フレーム１１と所定電位との間の静電容量が変化した場合、ふきこぼれが発生したと判定し、駆動回路５を停止させるか、または、加熱コイル２に流す高周波電流を減少させるように駆動回路５を制御する。
これによって、無駄な電力を使わずに済み、また、トッププレート８がふきこぼれた内容物で汚れるのを最小限にできる誘導加熱調理器を提供できる。
また、従来から誘導加熱調理器に備わっている金属フレーム１１と所定電位との間の静電容量を測定するので、新たに静電容量を測定するための電極が不要で、電極を設置するための新たなスペースも不用な、安価でスペース利用効率の良いふきこぼれ検知手段を提供できる。
【００１９】
実施の形態３．
図５は、本発明の実施の形態３における誘導加熱装置の概略構成を示す説明図である。図５において、トッププレート８の上に、調理器具として鍋９が載置され、トッププレート８と加熱コイル２の間に、加熱コイル２から出る磁束を抑制して加熱コイル２と鍋９との間に働く反発力を低減して鍋９が動かないようにする浮力防止板１２が設置されている。この浮力低減板１２は図６に示すように加熱コイル２の上面を覆うリング状のアルミ板である。静電容量測定回路７は、浮力低減板１２を電極とし、浮力低減板１２とＧＮＤ間の静電容量（寄生容量）を計測する。 
なお、「浮力低減板１２」は、本発明における「金属板」に相当する。
【００２０】
ふきこぼれが無い状態では、浮力低減板１２とＧＮＤとの間には主に比誘電率１の空気が存在するが、ふきこぼれが発生し、こぼれた鍋内容物が浮力低減板１２のトッププレート８上に到達すると比誘電率８０の水が入ってくる為、静電容量は急増する。そこで、静電容量の変化を調べることで、ふきこぼれの判定が可能になる。 
【００２１】
ふきこぼれが発生したと判定した場合は、駆動回路５の動作を停止させるか、または加熱コイル２に流す電流を減らすように駆動回路５を制御する。
【００２２】
以上のように、本実施の形態では、鍋９を載置するトッププレート８と、トッププレート８の下に設けられ、鍋９を加熱する加熱コイル２と、 交流電圧を高周波電圧に変換して前記加熱コイルに高周波電流を流す駆動回路５と、加熱コイル２とトッププレート８間に設けられた浮力低減板１２と、浮力低減板１２と所定電位との間の静電容量を測定する静電容量測定回路７と、静電容量測定回路７の測定結果に基づき駆動回路５を制御する制御回路６と、を備え、制御回路６は、加熱コイル２を駆動中に浮力低減板１２と所定電位との間の静電容量が変化した場合、ふきこぼれが発生したと判定し、駆動回路５を停止させるか、または、加熱コイル２に流す高周波電流を減少させるように駆動回路５を制御する。
これによって、無駄な電力を使わずに済み、また、トッププレート８がふきこぼれた内容物で汚れるのを最小限にできる誘導加熱調理器を提供できる。また、従来から誘導加熱調理器に備わっている浮力低減板１２と所定電位との間の静電容量を測定するので、新たに静電容量を測定するための電極が不要で、電極を設置するための新たなスペースも不用な、安価でスペース利用効率の良いふきこぼれ検知手段を提供できる。
【００２３】
実施の形態４．
図７は、本発明の実施の形態４における誘導加熱装置の概略構成を示す説明図である。なお、実施の形態と同一部分については同じ符号を付し、説明は省略する。図７において防磁リング３は、固定台１４に設置されたばね構造１３によりトッププレート下に押さえつけられている。静電容量測定回路７は、防磁リング３を電極とし、防磁リング３とＧＮＤ間の静電容量（寄生容量）を計測する。 
【００２４】
ふきこぼれが無い状態では、防磁リング３とＧＮＤとの間には主に比誘電率１の空気が存在するが、ふきこぼれが発生し、こぼれた鍋内容物が防磁リング３のトッププレート８上に到達すると比誘電率８０の水が入ってくる為、静電容量は急増する。そこで、静電容量の変化を調べることで、ふきこぼれの判定が可能になる。 
【００２５】
ふきこぼれが発生したと判定した場合は、駆動回路５の動作を停止させるか、または加熱コイル２に流す電流を減らすように駆動回路５を制御する。
【００２６】
以上のように、本実施の形態では、防磁リング３は、トッププレート８の下に設けられたばね構造によりトッププレート８裏面に押し当てられたことで、無駄な電力を使わずに済み、また、トッププレート８がふきこぼれた内容物で汚れるのを最小限にできる誘導加熱調理器を提供できる。
また、ばね構造によりトッププレート８の裏面に電極となる防磁リングを押し付けることにより、トッププレート８と防磁リング３との間に空気層が存在しなくなる為、その間での静電容量の低下が無くなり、ふきこぼれを検知しやすくなる。
【００２７】
実施の形態５．
図８、図９は、本発明の実施の形態５における誘導加熱装置の概略構成を示す説明図である。図８において、８はトッププレート、２はトッププレート８下に設置された加熱コイル、１５は静電容量方式の操作部であり、トッププレート８下に電極（図示せず）が設置されており、人間の指が操作部に触れると電極とＧＮＤ間の静電容量が変化し、スイッチが操作されたことを検知する。
【００２８】
図９において、トッププレート８の上に、調理器具として鍋９が載置され、トッププレート８下の加熱コイル２を固定するコイルベース１０の周囲に防磁リング３が設置されている。静電容量測定回路７は、防磁リング３を電極とし、防磁リング３と所定電位例えばＧＮＤ間の静電容量を測定し、静電容量測定回路７はさらに操作部１５が操作されたかどうかを操作部１５に設置された電極とＧＮＤ間の静電容量の変化により検知する。このための方法の一例として、静電容量を測定するためのＩＣやマイコンを同じものを使用することが挙げられる。つまり、静電容量測定回路７の回路または基板の一部または全てをふきこぼれ判定と操作判定とで兼用している。
なお、本実施例では防磁リング３を電極として静電容量を測定したが、従来から誘導加熱調理器に備わっていて電極と見做せるものを電極として静電容量を測定することも可能である。あるいは、新たに静電容量を測定するための電極を誘導加熱調理器内に設けて静電容量を測定しても良い。
【００２９】
以上のように、本実施の形態では、静電容量の変化により操作指示がなされたかどうかを判定する静電容量方式の操作部１５を備え、静電容量測定回路７と、操作部１５により操作指示がなされたかどうかを判定する回路の一部または基板を兼用することで、新たにふきこぼれ判定用あるいは操作判定用の静電容量測定回路を設ける必要がなく省スペースにできる。また、回路や基板を共用することで安価にすることができる。
【００３０】
なお、実施の形態１〜５において、ふきこぼれが発生したと判定した場合は、警報手段（図示せず）にその旨のメッセージを表示したり音声出力したりすることで、使用者の注意を喚起することができる。
【符号の説明】
【００３１】
１  誘導加熱装置、２  加熱コイル、３  防磁リング、４  交流電源、５  駆動回路、６  制御回路、７  静電容量測定回路、８  トッププレート、９  鍋、１０  コイルベース、１１  金属フレーム、１２  浮力低減板、１３  ばね構造、１４  固定台、１５  操作部
【図１】
2011243491.tif 000003
【図２】
2011243491.tif 000004
【図３】
2011243491.tif 000005
【図４】
2011243491.tif 000006
【図５】
2011243491.tif 000007
【図６】
2011243491.tif 000008
【図７】
2011243491.tif 000009
【図８】
2011243491.tif 000010
【図９】
2011243491.tif 000011
【手続補正書】
【提出日】平成22年7月23日(2010.7.23)
【手続補正１】
【補正対象書類名】明細書
【補正対象項目名】０００５
【補正方法】変更
【補正の内容】
【０００５】
本発明は、鍋を載置するトッププレートと、前記トッププレートの下に設けられ、前記鍋を加熱する加熱コイルと、交流電圧を高周波電圧に変換して前記加熱コイルに高周波電流を流す駆動回路と、トッププレートの下に設けられた電極と所定電位との間の静電容量を測定する静電容量測定手段と、静電容量の変化により操作指示がなされたかどうかを判定する静電容量方式の操作部とを備え、静電容量測定手段と、操作部により操作指示がなされたかどうかを判定する回路の一部または基板を兼用することを特徴とするものである。
【手続補正２】
【補正対象書類名】特許請求の範囲
【補正対象項目名】全文
【補正方法】変更
【補正の内容】
【特許請求の範囲】
【請求項１】
鍋を載置するトッププレートと、
前記トッププレートの下に設けられ、前記鍋を加熱する加熱コイルと、
交流電圧を高周波電圧に変換して前記加熱コイルに高周波電流を流す駆動回路と、
前記トッププレートの下に設けられた電極と、
前記電極と所定電位との間の静電容量を測定する静電容量測定手段と、
前記静電容量測定手段の測定結果に基づき前記駆動回路を制御する制御回路と、
静電容量の変化により操作指示がなされたかどうかを判定する静電容量方式の操作部と、
を備え、
前記静電容量測定手段と、前記操作部により操作指示がなされたかどうかを判定する回路の一部または基板を兼用することを特徴とする誘導加熱調理器。
【請求項２】
鍋を載置するトッププレートと、
前記トッププレートの下に設けられ、前記鍋を加熱する加熱コイルと、
交流電圧を高周波電圧に変換して前記加熱コイルに高周波電流を流す駆動回路と、
前記トッププレートの下に設けられた電極と、
前記電極と所定電位との間の静電容量を測定する静電容量測定手段と、
前記静電容量測定手段の測定結果に基づき前記駆動回路を制御する制御回路と、
警報手段と、
を備え、
前記制御回路は、前記加熱コイルを駆動中に前記電極と前記所定電位との間の静電容量が変化した場合、ふきこぼれが発生したと判定し、前記警報手段にその旨を報知させることを特徴とする誘導加熱調理器。
【請求項３】
鍋を載置するトッププレートと、
前記トッププレートの下に設けられ、前記鍋を加熱する加熱コイルと、
交流電圧を高周波電圧に変換して前記加熱コイルに高周波電流を流す駆動回路と、
前記加熱コイル周囲に設けられた防磁リングと、
前記防磁リングと所定電位との間の静電容量を測定する静電容量測定手段と、
前記静電容量測定手段の測定結果に基づき前記駆動回路を制御する制御回路と、
を備え、
前記制御回路は、前記加熱コイルを駆動中に前記防磁リングと前記所定電位との間の静電容量が変化した場合、ふきこぼれが発生したと判定し、前記駆動回路を停止させるか、または、前記加熱コイルに流す高周波電流を減少させるように前記駆動回路を制御することを特徴とする誘導加熱調理器。
【請求項４】
前記防磁リングは、前記トッププレートの下に設けられたばね構造により前記トッププレート裏面に押し当てられたことを特徴とする請求項３記載の誘導加熱調理器。
【請求項５】
鍋を載置するトッププレートと、
前記トッププレート周囲に設置された前記トッププレートを保護する金属フレームと、
前記トッププレートの下に設けられ、前記鍋を加熱する加熱コイルと、
交流電圧を高周波電圧に変換して前記加熱コイルに高周波電流を流す駆動回路と、
前記金属フレームと所定電位との間の静電容量を測定する静電容量測定手段と、
前記静電容量測定手段の測定結果に基づき前記駆動回路を制御する制御回路と、
を備え、
前記制御回路は、前記加熱コイルを駆動中に前記金属フレームと前記所定電位との間の静電容量が変化した場合、ふきこぼれが発生したと判定し、前記駆動回路を停止させるか、または、前記加熱コイルに流す高周波電流を減少させるように制御することを特徴とする誘導加熱調理器。
【請求項６】
鍋を載置するトッププレートと、
前記トッププレートの下に設けられ、前記鍋を加熱する加熱コイルと、
交流電圧を高周波電圧に変換して前記加熱コイルに高周波電流を流す駆動回路と、
前記加熱コイルと前記トッププレート間に設けられた金属板と、
前記金属板と所定電位との間の静電容量を測定する静電容量測定手段と、
前記静電容量測定手段の測定結果に基づき前記駆動回路を制御する制御回路と、
を備え、
前記制御回路は、前記加熱コイルを駆動中に前記金属板と前記所定電位との間の静電容量が変化した場合、ふきこぼれが発生したと判定し、前記駆動回路を停止させるか、または、前記加熱コイルに流す高周波電流を減少させるように前記駆動回路を制御することを特徴とする誘導加熱調理器。
【請求項７】
前記静電容量測定手段は、電極と所定電位との間に交流電圧を印加し、その印加電圧の減衰レベルにより前記静電容量を測定することを特徴とする請求項１乃至６のいずれかに記載の誘導加熱調理器。
【手続補正書】
【提出日】平成22年10月25日(2010.10.25)
【手続補正１】
【補正対象書類名】明細書
【補正対象項目名】０００５
【補正方法】変更
【補正の内容】
【０００５】
本発明は、鍋を載置するトッププレートと、前記トッププレートの下に設けられ、前記鍋を加熱する加熱コイルと、交流電圧を高周波電圧に変換して前記加熱コイルに高周波電流を流す駆動回路と、前記トッププレートとの間に空気層が存在しないように前記トッププレートの裏面に設けられた電極と、前記電極と所定電位との間の静電容量を測定する静電容量測定手段と、前記静電容量測定手段の測定結果に基づき前記駆動回路を制御する制御回路と、静電容量の変化により操作指示がなされたかどうかを判定する静電容量方式の操作部と、を備え、前記静電容量測定手段と、前記操作部の静電容量測定回路の一部または基板を兼用し、前記静電容量測定手段は、前記電極と所定電位との間に交流電圧を印加し、その印加電圧の減衰レベルにより前記静電容量を測定し、前記制御回路は、前記電極と前記所定電位との間の静電容量が変化した場合、ふきこぼれが発生したと判定することを特徴とするものである。
【手続補正２】
【補正対象書類名】特許請求の範囲
【補正対象項目名】全文
【補正方法】変更
【補正の内容】
【特許請求の範囲】
【請求項１】
鍋を載置するトッププレートと、
前記トッププレートの下に設けられ、前記鍋を加熱する加熱コイルと、
交流電圧を高周波電圧に変換して前記加熱コイルに高周波電流を流す駆動回路と、
前記トッププレートとの間に空気層が存在しないように前記トッププレートの裏面に設けられた電極と、
前記電極と所定電位との間の静電容量を測定する静電容量測定手段と、
前記静電容量測定手段の測定結果に基づき前記駆動回路を制御する制御回路と、
静電容量の変化により操作指示がなされたかどうかを判定する静電容量方式の操作部と、
を備え、
前記静電容量測定手段と、前記操作部の静電容量測定回路の一部または基板を兼用し、
前記静電容量測定手段は、前記電極と所定電位との間に交流電圧を印加し、その印加電圧の減衰レベルにより前記静電容量を測定し、
前記制御回路は、前記電極と前記所定電位との間の静電容量が変化した場合、ふきこぼれが発生したと判定することを特徴とする誘導加熱調理器。
【請求項２】
前記電極は、前記トッププレートの裏面にばね構造により押し付けられたことを特徴とする請求項１記載の誘導加熱調理器。
【請求項３】
警報手段を備え、
前記制御回路は、前記加熱コイルを駆動中に前記電極と前記所定電位との間の静電容量が変化した場合、ふきこぼれが発生したと判定し、前記警報手段にその旨を報知させることを特徴とする請求項１または２記載の誘導加熱調理器。
【請求項４】
前記電極は、前記加熱コイル周囲に設けられた防磁リングにより構成され、
前記制御回路は、前記加熱コイルを駆動中に前記防磁リングと前記所定電位との間の静電容量が変化した場合、ふきこぼれが発生したと判定し、前記駆動回路を停止させるか、または、前記加熱コイルに流す高周波電流を減少させるように前記駆動回路を制御することを特徴とする請求項１乃至３のいずれかに記載の誘導加熱調理器。
【請求項５】
前記電極は、前記トッププレート周囲に設置された前記トッププレートを保護する金属フレームにより構成され、
前記制御回路は、前記加熱コイルを駆動中に前記金属フレームと前記所定電位との間の静電容量が変化した場合、ふきこぼれが発生したと判定し、前記駆動回路を停止させるか、または、前記加熱コイルに流す高周波電流を減少させるように制御することを特徴とする請求項１乃至４のいずれかに記載の誘導加熱調理器。
【請求項６】
前記電極は、前記加熱コイルと前記トッププレート間に設けられた金属板により構成され、
前記制御回路は、前記加熱コイルを駆動中に前記金属板と前記所定電位との間の静電容量が変化した場合、ふきこぼれが発生したと判定し、前記駆動回路を停止させるか、または、前記加熱コイルに流す高周波電流を減少させるように前記駆動回路を制御することを特徴とする請求項１乃至５のいずれかに記載の誘導加熱調理器。
【手続補正書】
【提出日】平成23年4月6日(2011.4.6)
【手続補正１】
【補正対象書類名】明細書
【補正対象項目名】０００５
【補正方法】変更
【補正の内容】
【０００５】
本発明は、鍋を載置するトッププレートと、前記トッププレートの下に設けられ、前記鍋を加熱する加熱コイルと、交流電圧を高周波電圧に変換して前記加熱コイルに高周波電流を流す駆動回路と、前記トッププレートとの間に空気層が存在しないように前記トッププレートの裏面に設けられた電極と、前記電極と所定電位との間の静電容量を測定する静電容量測定手段と、前記静電容量測定手段の測定結果に基づき前記駆動回路を制御する制御回路と、静電容量の変化により操作指示がなされたかどうかを判定する静電容量方式の操作部と、を備え、前記静電容量測定手段と前記操作部の静電容量測定回路の、静電容量を測定するマイコンを同じものを使用して、前記静電容量測定手段と、前記操作部の静電容量測定回路の一部を兼用し、前記静電容量測定手段は、前記電極と所定電位との間に交流電圧を印加し、その印加電圧の減衰レベルにより前記静電容量を測定し、前記制御回路は、前記電極と前記所定電位との間の静電容量が変化した場合、ふきこぼれが発生したと判定することを特徴とするものである。
【手続補正２】
【補正対象書類名】特許請求の範囲
【補正対象項目名】全文
【補正方法】変更
【補正の内容】
【特許請求の範囲】
【請求項１】
鍋を載置するトッププレートと、
前記トッププレートの下に設けられ、前記鍋を加熱する加熱コイルと、
交流電圧を高周波電圧に変換して前記加熱コイルに高周波電流を流す駆動回路と、
前記トッププレートとの間に空気層が存在しないように前記トッププレートの裏面に設けられた電極と、
前記電極と所定電位との間の静電容量を測定する静電容量測定手段と、
前記静電容量測定手段の測定結果に基づき前記駆動回路を制御する制御回路と、
静電容量の変化により操作指示がなされたかどうかを判定する静電容量方式の操作部と、
を備え、
前記静電容量測定手段と前記操作部の静電容量測定回路の、静電容量を測定するマイコンを同じものを使用して、前記静電容量測定手段と、前記操作部の静電容量測定回路の一部を兼用し、
前記静電容量測定手段は、前記電極と所定電位との間に交流電圧を印加し、その印加電圧の減衰レベルにより前記静電容量を測定し、
前記制御回路は、前記電極と前記所定電位との間の静電容量が変化した場合、ふきこぼれが発生したと判定することを特徴とする誘導加熱調理器。